(57)【特許請求の範囲】
【請求項１】
積層鉄心に設けられた１極あたり４５個のスロットに納められる３相偶数極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片とからなり、
一つの相帯中の上コイル片、下コイル片のそれぞれの相対位置を極中心から順に数えた位置で表した場合に、当該上コイル片、下コイル片のそれぞれを、極中心から１から３番目、４から６番目、７から９番目、１０から１２番目、１３から１５番目に位置する５つのコイル片グループに分け、
前記第１の相帯の各コイル片グループに第１、第２、第３の並列回路に対応する３つのコイル片を配置し、前記第２の相帯の各コイル片グループに第４、第５、第６の並列回路に対応する３つのコイル片を配置し、
各相帯の各コイル片グループにおいて、前記第２及び第５の並列回路の位置が、コイル片グループの３つのコイル片のうち、極中心側から数えて２番目の位置となるようにし、
各相帯の１０個のコイル片グループのうち、６グループもしくは４グループにおいて、前記第１あるいは第４の並列回路の位置が極中心側から数えて１番目の位置となるようにし、
各相帯の各コイル片グループのうち、極中心から１番目のグループと２番目のグループとの間で、前記第１あるいは第４の並列回路のコイル片の極中心側から数えた位置が互いに異なるように接続したことを特徴とする回転電機の電機子巻線。
【請求項２】
請求項１に記載の回転電機の電機子巻線において、
前記第１及び第４の並列回路の上コイル片が、極中心から３，４，７，１０，１５番目の位置に配置され、下コイル片が、極中心から１，６，９，１０，１３番目の位置に配置され、前記第２及び第５の並列回路の上下コイル片が、極中心から２，５，８，１１，１４番目の位置に配置され、前記第３及び第６の並列回路の上コイル片が、極中心から１，６，９，１２，１３番目の位置に配置され、下コイル片が、極中心から３，４，７，１２，１５番目の位置に配置されていることを特徴とする回転電機の電機子巻線。
【請求項３】
請求項１に記載の回転電機の電機子巻線において、
前記第１及び第４の並列回路の上コイル片が、極中心から３，４，７，１２，１５番目の位置に配置され、下コイル片が、極中心から１，６，９，１２，１３番目の位置に配置され、前記第２及び第５の並列回路の上下コイル片が、極中心から２，５，８，１１，１４番目の位置に配置され、前記第３及び第６の並列回路の上コイル片が、極中心から１，６，９，１０，１３番目の位置に配置され、下コイル片が、極中心から３，４，７，１０，１５番目の位置に配置されていることを特徴とする回転電機の電機子巻線。
【請求項４】
請求項１に記載の回転電機の電機子巻線において、
前記第１及び第４の並列回路の上コイル片が、極中心から３，４，９，１０，１５番目の位置に配置され、下コイル片が、極中心から３，４，７，１２，１５番目の位置に配置され、前記第２及び第５の並列回路の上下コイル片が、極中心から２，５，８，１１，１４番目の位置に配置され、前記第３及び第６の並列回路の上コイル片が、極中心から１，６，７，１２，１３番目の位置に配置され、下コイル片が、極中心から１，６，９，１０，１３番目の位置に配置されていることを特徴とする回転電機の電機子巻線。
【請求項５】
請求項１に記載の回転電機の電機子巻線において、
前記第１及び第４の並列回路の上コイル片が、極中心から３，４，７，１２，１５番目の位置に配置され、下コイル片が、極中心から３，４，９，１０，１５番目の位置に配置され、前記第２及び第５の並列回路の上下コイル片が、極中心から２，５，８，１１，１４番目の位置に配置され、前記第３及び第６の並列回路の上コイル片が、極中心から１，６，９，１０，１３番目の位置に配置され、下コイル片が、極中心から１，６，７，１２，１３番目の位置に配置されていることを特徴とする回転電機の電機子巻線。
【請求項６】
請求項１に記載の回転電機の電機子巻線において、
前記第１及び第４の並列回路の上コイル片が、極中心から３，４，９，１０，１５番目の位置に配置され、下コイル片が、極中心から１，６，９，１０，１５番目の位置に配置され、前記第２及び第５の並列回路の上下コイル片が、極中心から２，５，８，１１，１４番目の位置に配置され、前記第３及び第６の並列回路の上コイル片が、極中心から１，６，７，１２，１３番目の位置に配置され、下コイル片が、極中心から３，４，７，１２，１３番目の位置に配置されていることを特徴とする回転電機の電機子巻線。
【請求項７】
請求項１に記載の回転電機の電機子巻線において、
前記第１及び第４の並列回路の上コイル片が、極中心から３，４，７，１２，１５番目の位置に配置され、下コイル片が、極中心から１，６，９，１０，１５番目の位置に配置され、前記第２及び第５の並列回路の上下コイル片が、極中心から２，５，８，１１，１４番目の位置に配置され、前記第３及び第６の並列回路の上コイル片が、極中心から１，６，９，１０，１３番目の位置に配置され、下コイル片が、極中心から３，４，７，１２，１３番目の位置に配置されていることを特徴とする回転電機の電機子巻線。
【請求項８】
請求項１に記載の回転電機の電機子巻線において、
前記第１及び第４の並列回路の上コイル片が、極中心から３，４，７，１０，１５番目の位置に配置され、下コイル片が、極中心から３，４，９，１０，１３番目の位置に配置され、前記第２及び第５の並列回路の上下コイル片が、極中心から２，５，８，１１，１４番目の位置に配置され、前記第３及び第６の並列回路の上コイル片が、極中心から１，６，９，１２，１３番目の位置に配置され、下コイル片が、極中心から１，６，７，１２，１５番目の位置に配置されていることを特徴とする回転電機の電機子巻線。
【請求項９】
請求項１に記載の回転電機の電機子巻線において、
前記第１及び第４の並列回路の上コイル片が、極中心から３，４，９，１０，１３番目の位置に配置され、下コイル片が、極中心から３，４，７，１０，１５番目の位置に配置され、前記第２及び第５の並列回路の上下コイル片が、極中心から２，５，８，１１，１４番目の位置に配置され、前記第３及び第６の並列回路の上コイル片が、極中心から１，６，７，１２，１５番目の位置に配置され、下コイル片が、極中心から１，６，９，１２，１３番目の位置に配置されていることを特徴とする回転電機の電機子巻線。
【請求項１０】
請求項１に記載の回転電機の電機子巻線において、
前記第１及び第４の並列回路の上コイル片が、極中心から３，４，７，１０，１５番目の位置に配置され、下コイル片が、極中心から３，４，７，１２，１３番目の位置に配置され、前記第２及び第５の並列回路の上下コイル片が、極中心から２，５，８，１１，１４番目の位置に配置され、前記第３及び第６の並列回路の上コイル片が、極中心から１，６，９，１２，１３番目の位置に配置され、下コイル片が、極中心から１，６，９，１０，１５番目の位置に配置されていることを特徴とする回転電機の電機子巻線。
【請求項１１】
請求項１に記載の回転電機の電機子巻線において、
前記第１及び第４の並列回路の上コイル片が、極中心から３，４，７，１２，１３番目の位置に配置され、下コイル片が、極中心から３，４，７，１０，１５番目の位置に配置され、前記第２及び第５の並列回路の上下コイル片が、極中心から２，５，８，１１，１４番目の位置に配置され、前記第３及び第６の並列回路の上コイル片が、極中心から１，６，９，１０，１５番目の位置に配置され、下コイル片が、極中心から１，６，９，１２，１３番目の位置に配置されていることを特徴とする回転電機の電機子巻線。
【請求項１２】
請求項１に記載の回転電機の電機子巻線において、
前記第１及び第４の並列回路の上コイル片が、極中心から３，４，９，１０，１３番目の位置に配置され、下コイル片が、極中心から１，６，７，１０，１５番目の位置に配置され、前記第２及び第５の並列回路の上下コイル片が、極中心から２，５，８，１１，１４番目の位置に配置され、前記第３及び第６の並列回路の上コイル片が、極中心から１，６，７，１２，１５番目の位置に配置され、下コイル片が、極中心から３，４，９，１２，１３番目の位置に配置されていることを特徴とする回転電機の電機子巻線。
【請求項１３】
請求項１に記載の回転電機の電機子巻線において、接続側コイルエンドに１極１相当たり８本のジャンパ線が設けられていることを特徴とする回転電機の電機子巻線。
【請求項１４】
請求項１乃至１３のいずれか１項に記載の電機子巻線を備えたことを特徴とする回転電機。
【発明の詳細な説明】
【技術分野】
【０００１】
本発明の実施形態は、３相で１極あたり４５スロットを備えた偶数極の回転電機に適用される６並列回路を有する電機子巻線に関する。
【背景技術】
【０００２】
大容量の回転電機においては、電機子巻線は上コイル片と下コイル片を積層鉄心に設けられたスロットに２層に配置し、これを直列に接続することによって発生電圧を高め、機器容量を増大している。しかし、電機子巻線の電圧が高くなると耐電圧のために電機子巻線の主絶縁厚さが厚くなり、その結果として導体部分の断面積が減少して電流密度が増加し、損失増加を招く。
【０００３】
また、特に電機子巻線を主絶縁の外側から冷却するような間接冷却方式の機械では、主絶縁厚さが厚くなることは熱抵抗の増加を招き、電機子巻線の温度上昇が大きくなる問題がある。このため、電機子巻線を複数の並列回路に分割することにより、機器の容量はそのままにして電機子巻線の電圧を低減して主絶縁厚さを薄くし、損失低減および冷却能力の向上を図ることが実施されている。また、間接冷却方式の大容量機ではスロット数を多くして電機子巻線の冷却周長を増加することが一般的であるため、３並列回路を超えるような並列回路を有する電機子巻線が必要となっている。
【０００４】
このように２極機において３並列回路を超えるような並列回路を有する電機子巻線を適用した場合には、各並列回路毎の発生電圧を完全に同一にすることができないため、並列回路間の循環電流が発生し、電機子巻線の損失を増加する問題が発生する。
【０００５】
この循環電流損失を低減するためには、各並列回路の発生電圧の不平衡をできる限り小さくすることが肝要であり、このために各相帯中の各並列回路に属するコイル配置に特別な配慮を必要とする。
【０００６】
このようなコイル配置を改善した例を図１５に示す電機子巻線の１相分の展開模式図を参照して説明する。
【０００７】
図１３はハミルトン・テイラーの米国特許に基づく３相２極７２スロットを有する回転電機に適用可能な４並列回路を有する電機子巻線の例である（特許文献１）。
【０００８】
なお図１３では１相分のみを示しているが他の２相については、図示された相の電機子巻線の構成をそれぞれ１２０度および２４０度ずらしたものであることは容易に理解できる。
【０００９】
同特許においては、並列回路を１〜４の番号で表した場合に第１の相帯１７の１２個の上コイル片１５、下コイル片１６の並列回路番号をそれぞれ極中心側から順に１２２１２１１２１２２１とし、第２の相帯１８の上コイル片１５、下コイル片１６の並列回路番号をそれぞれ極中心側から順に３４４３４３３４３４４３とするようにし、並列回路毎の電圧の大きさの偏差（平均的な相電圧よりの偏差の絶対値）および並列回路毎の電圧の位相差の偏差（平均的な相電圧の位相角の偏差）を小さくなるようにしている。
【００１０】
また、このような接続を実現するため、図１３においては接続側のコイルエンド１９ａに１４本／相のジャンパ線２０ａを設けている。
【００１１】
一方、並列回路毎の電圧の大きさの偏差および位相角の偏差を小さくすることについては、ルドルフ・ヘイバーマンの米国特許が知られている（特許文献２）。
【００１２】
同特許においては、並列回路毎の電圧の大きさの偏差については０．４％以内、位相角の偏差については０．１５度以内という基準が示されているが、上述したハミルトン・テイラー特許においては並列回路毎の電圧の大きさの偏差が０．１２％、位相角の偏差が０度と、同基準からみても高度な平衡度を示しており、循環電流を低減する効果は十分なものと考えられる。
【先行技術文献】
【特許文献】
【００１３】
【特許文献１】米国特許第２，７７８，９６２号明細書
【特許文献２】米国特許第２，７７８，９６３号明細書
【特許文献３】特許第５３６７４３６号公報
【発明の概要】
【発明が解決しようとする課題】
【００１４】
上述した特許文献１（ハミルトン・テイラーの米国特許）における接続方法は、３相２極７２スロットを有する回転電機に適用可能な４並列回路を有する電機子巻線を提供するものであるが、間接冷却方式の大容量回転電機においてはさらに並列回路数の多い電機子巻線が必要となる。そこで、図１４に示すように２極７２スロットを有する回転電機に適用される６並列回路を有する回転電機の電機子巻線の接続方法が知られている（特許文献３）。
【００１５】
上述した特許文献３における接続方法は、３相２極７２スロットを有する回転電機に適用可能な６並列回路を有する電機子巻線を提供するものであるが、適用が３相２極７２スロットを有する回転電機に限られる。
【００１６】
今後、間接冷却方式の大容量回転電機は、さらなる大容量化が見込まれ、巻数をさらに多くして発生電圧を確保することが求められる。そのためには、さらにスロット数の多い電機子巻線を実現することが望まれる。例えば、３相で１極あたり４５スロットを有する回転電機に適用される６並列回路を有する回転電機の電機子巻線を実現することが望まれる。
【００１７】
本発明は上記実情に鑑みてなされたものであり、間接冷却方式の大容量回転電機に好適なスロット数の多い電機子巻線を提供することを目的とする。
【課題を解決するための手段】
【００１８】
実施形態によれば、積層鉄心に設けられた１極あたり４５個のスロットに納められる３相偶数極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片とからなり、一つの相帯中の上コイル片、下コイル片のそれぞれの相対位置を極中心から順に数えた位置で表した場合に、当該上コイル片、下コイル片のそれぞれを、極中心から１から３番目、４から６番目、７から９番目、１０から１２番目、１３から１５番目に位置する５つのコイル片グループに分け、前記第１の相帯の各コイル片グループに第１、第２、第３の並列回路に対応する３つのコイル片を配置し、前記第２の相帯の各コイル片グループに第４、第５、第６の並列回路に対応する３つのコイル片を配置し、各相帯の各コイル片グループにおいて、前記第２及び第５の並列回路の位置が、コイル片グループの３つのコイル片のうち、極中心側から数えて２番目の位置となるようにし、各相帯の１０個のコイル片グループのうち、６グループもしくは４グループにおいて、前記第１あるいは第４の並列回路の位置が極中心側から数えて１番目の位置となるようにし、各相帯の各コイル片グループのうち、極中心から１番目のグループと２番目のグループとの間で、前記第１あるいは第４の並列回路のコイル片の極中心側から数えた位置が互いに異なるように接続したことを特徴とする回転電機の電機子巻線が提供される。
【発明の効果】
【００１９】
本発明によれば、間接冷却方式の大容量回転電機に好適なスロット数の多い電機子巻線を提供することができる。
【図面の簡単な説明】
【００２０】
【図１】第１の実施形態の回転電機の電機子巻線の２極１相分の展開模式図。
【図２】第２の実施形態の回転電機の電機子巻線の２極１相分の展開模式図。
【図３】第３の実施形態の回転電機の電機子巻線の２極１相分の展開模式図。
【図４】第４の実施形態の回転電機の電機子巻線の２極１相分の展開模式図。
【図５】第５の実施形態の回転電機の電機子巻線の２極１相分の展開模式図。
【図６】第６の実施形態の回転電機の電機子巻線の２極１相分の展開模式図。
【図７】第７の実施形態の回転電機の電機子巻線の２極１相分の展開模式図。
【図８】第８の実施形態の回転電機の電機子巻線の２極１相分の展開模式図。
【図９】第９の実施形態の回転電機の電機子巻線の２極１相分の展開模式図。
【図１０】第１０の実施形態の回転電機の電機子巻線の２極１相分の展開模式図。
【図１１】第１１の実施形態の回転電機の電機子巻線の２極１相分の展開模式図。
【図１２】第１２の実施形態の回転電機の電機子巻線の２極１相分の展開模式図。
【図１３】従来の回転電機の電機子巻線の２極１相分の展開模式図。
【図１４】従来の回転電機の電機子巻線の２極１相分の展開模式図。
【発明を実施するための形態】
【００２１】
以下、実施の形態について、図面を参照して説明する。
【００２２】
（第１の実施形態）
最初に、図１を参照して、第１の実施形態について説明する。
【００２３】
図１は第１の実施形態における回転電機の電機子巻線の２極１相分を示す展開模式図である。
【００２４】
図１に示す回転電機の電機子１１は、３相偶数極の２層巻き電機子巻線により構成される。図１の例では、積層鉄心よりなる電機子鉄心１２に１極あたり４５個のスロット１３が設けられており、当該スロット１３に２極３相６並列回路の電機子巻線が２層に納められている。３相２極の回転電機（２極機）の場合、全スロット数は９０個となる。
【００２５】
各相の電機子巻線は、スロット１３内の上部に納められる上コイル片１５と、スロット１３内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続してなる。さらに電機子巻線は、上下コイル片１５，１６のそれぞれを電機子鉄心１２に設けられた１５個のスロット１３に納める第１の相帯１７と、同じく１５個のスロット１３に納める第２の相帯１８とを有している。
【００２６】
ここで、第１及び第２の相帯とは、３相各相を２つに分割して割り当てられた積層鉄心（電機子鉄心）に有する１極あたり４５個のスロットにそれぞれ上コイル片及び下コイル片を２層に収めてこれらを順次直列接続して同一相を形成する巻線部分を言う。
【００２７】
各相の電機子巻線はそれぞれ６つの並列回路を有しており、この各並列回路には図示したように○の中に１、２、３、４、５、６という回路番号をつけて識別している。なお、この回路番号は単に説明の便宜上、その並列回路を特定するためにつけた符号であって、特にどのような符号をどのような順番につけてもかまわないものである。
【００２８】
各相帯１７、１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線１４を形成している。図１は、コイルピッチに２／３という小さ目の値を採用した例であるが、これは図を見やすくする目的のためであって、特にこのコイルピッチに特定されるものではない。
【００２９】
図１に示すように相帯１７、１８の接続側コイルエンド１９ａに４本／相のジャンパ線２０ａを、反接続側コイルエンド１９ｂに４本／相のジャンパ線２０ｂを設けることにより、第１の相帯１７における上コイル片１５の回路番号が極中心側から順に３，２，１，１，２，３，１，２，３，１，２，３，３，２，１となり、下コイル片１６の回路番号が極中心側から順に１，２，３，３，２，１，３，２，１，１，２，３，１，２，３となり、第２の相帯１８における上コイル片１５の回路番号が順に６，５，４，４，５，６，４，５，６，４，５，６，６，５，４となり、下コイル片１６の回路番号が極中心側から順に４，５，６，６，５，４，６，５，４，４，５，６，４，５，６となるようにして接続している。
【００３０】
これにより、相帯内の上下コイル片１５，１６の相対位置を極中心からの位置によって表した場合に、各並列回路の上下コイル片１５，１６の位置は表１のようになる。
【００３１】
【表１】
0006490550.tif 000002
【００３２】
表１に示すように、第１及び第４の並列回路の５個の上コイル片１５が、極中心から３，４，７，１０，１５番目の位置に、５個の下コイル片１６が極中心から１，６，９，１０，１３番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，９，１２，１３番目の位置に、５個の下コイル片１６については極中心から３，４，７，１２，１５番目の位置にそれぞれ配置されている。
【００３３】
次に１相中の発生電圧の不平衡について説明するが、ここではその不平衡度を数値評価する手段として、一般に次の定義を採用する。つまり、一相中の多数の並列回路のうちの１回路のみの電圧をｐ．ｕ．表示で表わしたものは、その並列回路の開放電圧と相全体としての平均電圧（相電圧）との比であって、その並列回路と相全体の電圧の大きさの不平衡の程度を表わす。同様に、１つの並列回路に発生する開放電圧と相電圧との位相角偏差はその並列回路と相全体の電圧の位相角の不平衡の程度を表わす。
【００３４】
表２は第１の実施形態における電機子巻線の発生電圧の平衡度を示すものである。ただし、本実施形態では平衡度は巻線ピッチによって変化するため、表２では３８／４５（８４．４４％）の巻線ピッチの場合を示している。表２に示すように第１の実施形態における電機子巻線では、電圧の大きさの偏差（ｐ．ｕ．電圧の１．０よりの偏差）は最大で０．１９％、位相角の偏差が０．０８度と、ルドルフ・ヘイバーマンの特許による基準値である、電圧の大きさの偏差で０．４％、位相角の偏差を０．１５度以内という基準を満足していることがわかる。
【００３５】
【表２】
0006490550.tif 000003
【００３６】
また、表３は第１の実施形態における巻線ピッチによる電圧の大きさの偏差、位相角の偏差の最大値の変化を示すものである。巻線ピッチが３５／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【００３７】
【表３】
0006490550.tif 000004
【００３８】
以上のように、第１の実施形態においては並列回路毎の電圧について前述のルドルフ・ヘイバーマンの特許による基準値を満足する平衡度を実現でき、循環電流を低減することができる。
【００３９】
また、第１の実施形態においてはジャンパ線２０ａの総数が８本／相であるのに対して、図１３に示す電機子巻線の１相分のジャンパ線が１４本／相であり、第１の実施形態の方が少ないことがわかる。また、第１の実施形態においてはジャンパ線２０ａが接続側コイルエンド１９ａと反接続側コイルエンド１９ｂにそれぞれ４本／相であるのに対して、図１４に示す電機子巻線の１相分のジャンパ線は片側コイルエンドのみであるが８本／相であり、第１の実施形態の方が少ないことがわかる。これらのことから、ジャンパ線２０ａの間の距離が拡大し、ジャンパ線２０ａの接続のための作業性が改善され、接続部の絶縁性、固定強度の確保が容易になってより信頼性の高い電機子巻線を提供できる。
【００４０】
なお、本実施形態は図示した構成に限らず、口出し位置を図示したものと違う位置に配置したり、例えば並列回路１と並列回路４の電気的に等価な位置にあるコイル片を入れ替えたりしてもよい。
【００４１】
（第２の実施形態）
次に、図２を参照して、第２の実施形態について説明する。ここでは、前述の第１の実施形態（図１）と共通する部分の説明を省略し、異なる部分を中心に説明する。
【００４２】
図２は第２の実施形態における回転電機の電機子巻線の２極１相分を示す展開模式図である。
【００４３】
図２に示すように相帯１７、１８の接続側コイルエンド１９ａに４本／相のジャンパ線２０ａを、反接続側コイルエンド１９ｂに４本／相のジャンパ線２０ｂを設けることにより、第１の相帯１７における上コイル片１５の回路番号が極中心側から順に３，２，１，１，２，３，１，２，３，３，２，１，３，２，１となり、下コイル片１６の回路番号が極中心側から順に１，２，３，３，２，１，３，２，１，３，２，１，１，２，３となり、第２の相帯１８における上コイル片１５の回路番号が順に６，５，４，４，５，６，４，５，６，６，５，４，６，５，４となり、下コイル片１６の回路番号が極中心側から順に４，５，６，６，５，４，６，５，４，６，５，４，４，５，６となるようにして接続している。
【００４４】
これにより、相帯内の上下コイル片１５，１６の相対位置を極中心からの位置によって表した場合に、各並列回路の上下コイル片１５，１６の位置は表４のようになる。
【００４５】
【表４】
0006490550.tif 000005
【００４６】
表４に示すように、第１及び第４の並列回路の５個の上コイル片１５が、極中心から３，４，７，１２，１５番目の位置に、５個の下コイル片１６が極中心から１，６，９，１２，１３番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，９，１０，１３番目の位置に、５個の下コイル片１６については極中心から３，４，７，１０，１５番目の位置にそれぞれ配置されている。
【００４７】
表５は第２の実施形態における電機子巻線の発生電圧の平衡度を示すものである。ただし、本実施形態では平衡度は巻線ピッチによって変化するため、表５では３８／４５（８４．４４％）の巻線ピッチの場合を示している。表５に示すように第２の実施形態における電機子巻線では、電圧の大きさの偏差（ｐ．ｕ．電圧の１．０よりの偏差）は最大で０．１９％、位相角の偏差が０．０８度と、ルドルフ・ヘイバーマンの特許による基準値である、電圧の大きさの偏差で０．４％、位相角の偏差を０．１５度以内という基準を満足していることがわかる。
【００４８】
【表５】
0006490550.tif 000006
【００４９】
また、表６は第２の実施形態における巻線ピッチによる電圧の大きさの偏差、位相角の偏差の最大値の変化を示すものである。巻線ピッチが３５／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【００５０】
【表６】
0006490550.tif 000007
【００５１】
以上のように、第２の実施形態においては並列回路毎の電圧について前述のルドルフ・ヘイバーマンの特許による基準値を満足する平衡度を実現でき、循環電流を低減することができる。
【００５２】
なお、本実施形態は図示した構成に限らず、口出し位置を図示したものと違う位置に配置したり、例えば並列回路１と並列回路４の電気的に等価な位置にあるコイル片を入れ替えたりしても入れ替えたりしてもよい。
【００５３】
（第３の実施形態）
次に、図３を参照して、第３の実施形態について説明する。ここでは、前述の第１の実施形態（図１）と共通する部分の説明を省略し、異なる部分を中心に説明する。
【００５４】
図３は第３の実施形態における回転電機の電機子巻線の２極１相分を示す展開模式図である。
【００５５】
図３に示すように相帯１７、１８の接続側コイルエンド１９ａに８本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，３，２，１，１，２，３，３，２，１となり、下コイル片１６の回路番号が極中心側から順に３，２，１，１，２，３，１，２，３，３，２，１，３，２，１となり、第２の相帯１８における上コイル片１５の回路番号が順に６，５，４，４，５，６，６，５，４，４，５，６，６，５，４となり、下コイル片１６の回路番号が極中心側から順に６，５，４，４，５，６，４，５，６，６，５，４，６，５，４となるようにして接続している。
【００５６】
これにより、相帯内の上下コイル片１５，１６の相対位置を極中心からの位置によって表した場合に、各並列回路の上下コイル片１５，１６の位置は表７のようになる。
【００５７】
【表７】
0006490550.tif 000008
【００５８】
表７に示すように、第１及び第４の並列回路の５個の上コイル片１５が、極中心から３，４，９，１０，１５番目の位置に、５個の下コイル片１６が極中心から３，４，７，１２，１５番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，７，１２，１３番目の位置に、５個の下コイル片１６については極中心から１，６，９，１０，１３番目の位置にそれぞれ配置されている。
【００５９】
表８は第３の実施形態における電機子巻線の発生電圧の平衡度を示すものである。ただし、本実施形態では平衡度は巻線ピッチによって変化するため、表８では３８／４５（８４．４４％）の巻線ピッチの場合を示している。表８に示すように第３の実施形態における電機子巻線では、電圧の大きさの偏差（ｐ．ｕ．電圧の１．０よりの偏差）は最大で０．１６％、位相角の偏差が０．０３度と、ルドルフ・ヘイバーマンの特許による基準値である、電圧の大きさの偏差で０．４％、位相角の偏差を０．１５度以内という基準を満足していることがわかる。
【００６０】
【表８】
0006490550.tif 000009
【００６１】
また、表９は第３の実施形態における巻線ピッチによる電圧の大きさの偏差、位相角の偏差の最大値の変化を示すものである。表に示していない巻線ピッチも含めて巻線ピッチが３３／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【００６２】
【表９】
0006490550.tif 000010
【００６３】
以上のように、第３の実施形態においては並列回路毎の電圧について前述のルドルフ・ヘイバーマンの特許による基準値を満足する平衡度を実現でき、循環電流を低減することができる。
【００６４】
なお、本実施形態は図示した構成に限らず、口出し位置を図示したものと違う位置に配置したり、例えば並列回路１と並列回路４の電気的に等価な位置にあるコイル片を入れ替えたりしてもよい。
【００６５】
（第４の実施形態）
次に、図４を参照して、第４の実施形態について説明する。ここでは、前述の第１の実施形態（図１）と共通する部分の説明を省略し、異なる部分を中心に説明する。
【００６６】
図４は第４の実施形態における回転電機の電機子巻線の２極１相分を示す展開模式図である。
【００６７】
図４に示すように相帯１７、１８の接続側コイルエンド１９ａに８本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，１，２，３，３，２，１，３，２，１となり、下コイル片１６の回路番号が極中心側から順に３，２，１，１，２，３，３，２，１，１，２，３，３，２，１となり、第２の相帯１８における上コイル片１５の回路番号が順に６，５，４，４，５，６，４，５，６，６，５，４，６，５，４となり、下コイル片１６の回路番号が極中心側から順に６，５，４，４，５，６，６，５，４，４，５，６，６，５，４となるようにして接続している。
【００６８】
これにより、相帯内の上下コイル片１５，１６の相対位置を極中心からの位置によって表した場合に、各並列回路の上下コイル片１５，１６の位置は表１０のようになる。
【００６９】
【表１０】
0006490550.tif 000011
【００７０】
表１０に示すように、第１及び第４の並列回路の５個の上コイル片１５が、極中心から３，４，７，１２，１５番目の位置に、５個の下コイル片１６が極中心から３，４，９，１０，１５番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，９，１０，１３番目の位置に、５個の下コイル片１６については極中心から１，６，７，１２，１３番目の位置にそれぞれ配置されている。
【００７１】
表１１は第４の実施形態における電機子巻線の発生電圧の平衡度を示すものである。ただし、本実施形態では平衡度は巻線ピッチによって変化するため、表１１では３８／４５（８４．４４％）の巻線ピッチの場合を示している。表１１に示すように第４の実施形態における電機子巻線では、電圧の大きさの偏差（ｐ．ｕ．電圧の１．０よりの偏差）は最大で０．１６％、位相角の偏差が０．０３度と、ルドルフ・ヘイバーマンの特許による基準値である、電圧の大きさの偏差で０．４％、位相角の偏差を０．１５度以内という基準を満足していることがわかる。
【００７２】
【表１１】
0006490550.tif 000012
【００７３】
また、表１２は第４の実施形態における巻線ピッチによる電圧の大きさの偏差、位相角の偏差の最大値の変化を示すものである。表に示していない巻線ピッチも含めて巻線ピッチが３３／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【００７４】
【表１２】
0006490550.tif 000013
【００７５】
以上のように、第４の実施形態においては並列回路毎の電圧について前述のルドルフ・ヘイバーマンの特許による基準値を満足する平衡度を実現でき、循環電流を低減することができる。
【００７６】
なお、本実施形態は図示した構成に限らず、口出し位置を図示したものと違う位置に配置したり、例えば並列回路１と並列回路４の電気的に等価な位置にあるコイル片を入れ替えたりしてもよい。
【００７７】
（第５の実施形態）
次に、図５を参照して、第５の実施形態について説明する。ここでは、前述の第１の実施形態（図１）と共通する部分の説明を省略し、異なる部分を中心に説明する。
【００７８】
図５は第５の実施形態における回転電機の電機子巻線の２極１相分を示す展開模式図である。
【００７９】
図５に示すように相帯１７、１８の接続側コイルエンド１９ａに８本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，３，２，１，１，２，３，３，２，１となり、下コイル片１６の回路番号が極中心側から順に１，２，３，３，２，１，３，２，１，１，２，３，３，２，１となり、第２の相帯１８における上コイル片１５の回路番号が順に６，５，４，４，５，６，６，５，４，４，５，６，６，５，４となり、下コイル片１６の回路番号が極中心側から順に４，５，６，６，５，４，６，５，４，４，５，６，６，５，４となるようにして接続している。
【００８０】
これにより、相帯内の上下コイル片１５，１６の相対位置を極中心からの位置によって表した場合に、各並列回路の上下コイル片１５，１６の位置は表１３のようになる。
【００８１】
【表１３】
0006490550.tif 000014
【００８２】
表１３に示すように、第１及び第４の並列回路の５個の上コイル片１５が、極中心から３，４，９，１０，１５番目の位置に、５個の下コイル片１６が極中心から１，６，９，１０，１５番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，７，１２，１３番目の位置に、５個の下コイル片１６については極中心から３，４，７，１２，１３番目の位置にそれぞれ配置されている。
【００８３】
表１４は第５の実施形態における電機子巻線の発生電圧の平衡度を示すものである。ただし、本実施形態では平衡度は巻線ピッチによって変化するため、表１４では３８／４５（８４．４４％）の巻線ピッチの場合を示している。表１４に示すように第５の実施形態における電機子巻線では、電圧の大きさの偏差（ｐ．ｕ．電圧の１．０よりの偏差）は最大で０．１８％、位相角の偏差が０．１０度と、ルドルフ・ヘイバーマンの特許による基準値である、電圧の大きさの偏差で０．４％、位相角の偏差を０．１５度以内という基準を満足していることがわかる。
【００８４】
【表１４】
0006490550.tif 000015
【００８５】
また、表１５は第５の実施形態における巻線ピッチによる電圧の大きさの偏差、位相角の偏差の最大値の変化を示すものである。表に示していない巻線ピッチも含めて巻線ピッチが３４／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【００８６】
【表１５】
0006490550.tif 000016
【００８７】
以上のように、第５の実施形態においては並列回路毎の電圧について前述のルドルフ・ヘイバーマンの特許による基準値を満足する平衡度を実現でき、循環電流を低減することができる。
【００８８】
なお、本実施形態は図示した構成に限らず、口出し位置を図示したものと違う位置に配置したり、例えば並列回路１と並列回路４の電気的に等価な位置にあるコイル片を入れ替えたりしてもよい。
【００８９】
（第６の実施形態）
次に、図６を参照して、第６の実施形態について説明する。ここでは、前述の第１の実施形態（図１）と共通する部分の説明を省略し、異なる部分を中心に説明する。
【００９０】
図６は第６の実施形態における回転電機の電機子巻線の２極１相分を示す展開模式図である。
【００９１】
図６に示すように相帯１７、１８の反接続側コイルエンド１９ｂのみに１２本／相のジャンパ線２０ｂを設けることにより、第１の相帯１７における上コイル片１５の回路番号が極中心側から順に３，２，１，１，２，３，１，２，３，３，２，１，３，２，１となり、下コイル片１６の回路番号が極中心側から順に１，２，３，３，２，１，３，２，１，１，２，３，３，２，１となり、第２の相帯１８における上コイル片１５の回路番号が順に６，５，４，４，５，６，４，５，６，６，５，４，６，５，４となり、下コイル片１６の回路番号が極中心側から順に４，５，６，６，５，４，６，５，４，４，５，６，６，５，４となるようにして接続している。
【００９２】
これにより、相帯内の上下コイル片１５，１６の相対位置を極中心からの位置によって表した場合に、各並列回路の上下コイル片１５，１６の位置は表１６のようになる。
【００９３】
【表１６】
0006490550.tif 000017
【００９４】
表１６に示すように、第１及び第４の並列回路の５個の上コイル片１５が、極中心から３，４，７，１２，１５番目の位置に、５個の下コイル片１６が極中心から１，６，９，１０，１５番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，９，１０，１３番目の位置に、５個の下コイル片１６については極中心から３，４，７，１２，１３番目の位置にそれぞれ配置されている。
【００９５】
表１７は第６の実施形態における電機子巻線の発生電圧の平衡度を示すものである。ただし、本実施形態では平衡度は巻線ピッチによって変化するため、表１７では３８／４５（８４．４４％）の巻線ピッチの場合を示している。表１７に示すように第６の実施形態における電機子巻線では、電圧の大きさの偏差（ｐ．ｕ．電圧の１．０よりの偏差）は最大で０．２９％、位相角の偏差が０．０７度と、ルドルフ・ヘイバーマンの特許による基準値である、電圧の大きさの偏差で０．４％、位相角の偏差を０．１５度以内という基準を満足していることがわかる。
【００９６】
【表１７】
0006490550.tif 000018
【００９７】
また、表１８は第６の実施形態における巻線ピッチによる電圧の大きさの偏差、位相角の偏差の最大値の変化を示すものである。表に示していない巻線ピッチも含めて巻線ピッチが２９／４５〜４０／４５の範囲内の場合では平衡度は、ルドルフ・ヘイバーマンの特許による基準値である、電圧の大きさの偏差で０．４％、位相角の偏差を０．１５度以内という基準を満足している。
【００９８】
【表１８】
0006490550.tif 000019
【００９９】
以上のように、第６の実施形態においては並列回路毎の電圧について前述のルドルフ・ヘイバーマンの特許による基準値を満足する平衡度を実現でき、循環電流を低減することができる。
【０１００】
なお、本実施形態は図示した構成に限らず、口出し位置を図示したものと違う位置に配置したり、例えば並列回路１と並列回路４の電気的に等価な位置にあるコイル片を入れ替えたりしてもよい。
【０１０１】
（第７の実施形態）
次に、図７を参照して、第７の実施形態について説明する。ここでは、前述の第１の実施形態（図１）と共通する部分の説明を省略し、異なる部分を中心に説明する。
【０１０２】
図７は第７の実施形態における回転電機の電機子巻線の２極１相分を示す展開模式図である。
【０１０３】
図７に示すように相帯１７、１８の接続側コイルエンド１９ａに４本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，１，２，３，１，２，３，３，２，１となり、下コイル片１６の回路番号が極中心側から順に３，２，１，１，２，３，３，２，１，１，２，３，１，２，３となり、第２の相帯１８における上コイル片１５の回路番号が順に６，５，４，４，５，６，４，５，６，４，５，６，６，５，４となり、下コイル片１６の回路番号が極中心側から順に６，５，４，４，５，６，６，５，４，４，５，６，４，５，６となるようにして接続している。
【０１０４】
これにより、相帯内の上下コイル片１５，１６の相対位置を極中心からの位置によって表した場合に、各並列回路の上下コイル片１５，１６の位置は表１９のようになる。
【０１０５】
【表１９】
0006490550.tif 000020
【０１０６】
表１９に示すように、第１及び第４の並列回路の５個の上コイル片１５が、極中心から３，４，７，１０，１５番目の位置に、５個の下コイル片１６が極中心から３，４，９，１０，１３番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，９，１２，１３番目の位置に、５個の下コイル片１６については極中心から１，６，７，１２，１５番目の位置にそれぞれ配置されている。
【０１０７】
表２０は第７の実施形態における電機子巻線の発生電圧の平衡度を示すものである。ただし、本実施形態では平衡度は巻線ピッチによって変化するため、表２０では３８／４５（８４．４４％）の巻線ピッチの場合を示している。表２０に示すように第７の実施形態における電機子巻線では、電圧の大きさの偏差（ｐ．ｕ．電圧の１．０よりの偏差）は最大で０．２４％、位相角の偏差が０．０３度と、ルドルフ・ヘイバーマンの特許による基準値である、電圧の大きさの偏差で０．４％、位相角の偏差を０．１５度以内という基準を満足していることがわかる。
【０１０８】
【表２０】
0006490550.tif 000021
【０１０９】
また、表２１は第７の実施形態における巻線ピッチによる電圧の大きさの偏差、位相角の偏差の最大値の変化を示すものである。巻線ピッチが３１／４５〜４０／４５の範囲内の場合では平衡度は、ルドルフ・ヘイバーマンの特許による基準値である、電圧の大きさの偏差で０．４％、位相角の偏差を０．１５度以内という基準を満足している。
【０１１０】
【表２１】
0006490550.tif 000022
【０１１１】
以上のように、第７の実施形態においては並列回路毎の電圧について前述のルドルフ・ヘイバーマンの特許による基準値を満足する平衡度を実現でき、循環電流を低減することができる。
【０１１２】
なお、本実施形態は図示した構成に限らず、口出し位置を図示したものと違う位置に配置したり、例えば並列回路１と並列回路４の電気的に等価な位置にあるコイル片を入れ替えたりしてもよい。
【０１１３】
（第８の実施形態）
次に、図８を参照して、第８の実施形態について説明する。ここでは、前述の第１の実施形態（図１）と共通する部分の説明を省略し、異なる部分を中心に説明する。
【０１１４】
図８は第８の実施形態における回転電機の電機子巻線の２極１相分を示す展開模式図である。
【０１１５】
図８に示すように相帯１７、１８の接続側コイルエンド１９ａに４本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，３，２，１，１，２，３，１，２，３となり、下コイル片１６の回路番号が極中心側から順に３，２，１，１，２，３，１，２，３，１，２，３，３，２，１となり、第２の相帯１８における上コイル片１５の回路番号が順に６，５，４，４，５，６，６，５，４，４，５，６，４，５，６となり、下コイル片１６の回路番号が極中心側から順に６，５，４，４，５，６，４，５，６，４，５，６，６，５，４となるようにして接続している。
【０１１６】
これにより、相帯内の上下コイル片１５，１６の相対位置を極中心からの位置によって表した場合に、各並列回路の上下コイル片１５，１６の位置は表２２のようになる。
【０１１７】
【表２２】
0006490550.tif 000023
【０１１８】
表２２に示すように、第１及び第４の並列回路の５個の上コイル片１５が、極中心から３，４，９，１０，１３番目の位置に、５個の下コイル片１６が極中心から３，４，７，１０，１５番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，７，１２，１５番目の位置に、５個の下コイル片１６については極中心から１，６，９，１２，１３番目の位置にそれぞれ配置されている。
【０１１９】
表２３は第８の実施形態における電機子巻線の発生電圧の平衡度を示すものである。ただし、本実施形態では平衡度は巻線ピッチによって変化するため、表２３では３８／４５（８４．４４％）の巻線ピッチの場合を示している。表２３に示すように第８の実施形態における電機子巻線では、電圧の大きさの偏差（ｐ．ｕ．電圧の１．０よりの偏差）は最大で０．２４％、位相角の偏差が０．０３度と、ルドルフ・ヘイバーマンの特許による基準値である、電圧の大きさの偏差で０．４％、位相角の偏差を０．１５度以内という基準を満足していることがわかる。
【０１２０】
【表２３】
0006490550.tif 000024
【０１２１】
また、表２４は第８の実施形態における巻線ピッチによる電圧の大きさの偏差、位相角の偏差の最大値の変化を示すものである。巻線ピッチが３１／４５〜４０／４５の範囲内の場合では平衡度は、ルドルフ・ヘイバーマンの特許による基準値である、電圧の大きさの偏差で０．４％、位相角の偏差を０．１５度以内という基準を満足している。
【０１２２】
【表２４】
0006490550.tif 000025
【０１２３】
以上のように、第８の実施形態においては並列回路毎の電圧について前述のルドルフ・ヘイバーマンの特許による基準値を満足する平衡度を実現でき、循環電流を低減することができる。
【０１２４】
なお、本実施形態は図示した構成に限らず、口出し位置を図示したものと違う位置に配置したり、例えば並列回路１と並列回路４の電気的に等価な位置にあるコイル片を入れ替えたりしてもよい。
【０１２５】
（第９の実施形態）
次に、図９を参照して、第９の実施形態について説明する。ここでは、前述の第１の実施形態（図１）と共通する部分の説明を省略し、異なる部分を中心に説明する。
【０１２６】
図９は第９の実施形態における回転電機の電機子巻線の２極１相分を示す展開模式図である。
【０１２７】
図９に示すように相帯１７、１８の接続側コイルエンド１９ａに１２本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，１，２，３，１，２，３，３，２，１となり、下コイル片１６の回路番号が極中心側から順に３，２，１，１，２，３，１，２，３，３，２，１，１，２，３となり、第２の相帯１８における上コイル片１５の回路番号が順に６，５，４，４，５，６，４，５，６，４，５，６，６，５，４となり、下コイル片１６の回路番号が極中心側から順に６，５，４，４，５，６，４，５，６，６，５，４，４，５，６となるようにして接続している。
【０１２８】
これにより、相帯内の上下コイル片１５，１６の相対位置を極中心からの位置によって表した場合に、各並列回路の上下コイル片１５，１６の位置は表２５のようになる。
【０１２９】
【表２５】
0006490550.tif 000026
【０１３０】
表２５に示すように、第１及び第４の並列回路の５個の上コイル片１５が、極中心から３，４，７，１０，１５番目の位置に、５個の下コイル片１６が極中心から３，４，７，１２，１３番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，９，１２，１３番目の位置に、５個の下コイル片１６については極中心から１，６，９，１０，１５番目の位置にそれぞれ配置されている。
【０１３１】
表２６は第９の実施形態における電機子巻線の発生電圧の平衡度を示すものである。ただし、本実施形態では平衡度は巻線ピッチによって変化するため、表２６では３８／４５（８４．４４％）の巻線ピッチの場合を示している。表２６に示すように第９の実施形態における電機子巻線では、電圧の大きさの偏差（ｐ．ｕ．電圧の１．０よりの偏差）は最大で０．２４％、位相角の偏差が０．０１度と、ルドルフ・ヘイバーマンの特許による基準値である、電圧の大きさの偏差で０．４％、位相角の偏差を０．１５度以内という基準を満足していることがわかる。
【０１３２】
【表２６】
0006490550.tif 000027
【０１３３】
また、表２７は第９の実施形態における巻線ピッチによる電圧の大きさの偏差、位相角の偏差の最大値の変化を示すものである。巻線ピッチが３６／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【０１３４】
【表２７】
0006490550.tif 000028
【０１３５】
以上のように、第９の実施形態においては並列回路毎の電圧について前述のルドルフ・ヘイバーマンの特許による基準値を満足する平衡度を実現でき、循環電流を低減することができる。
【０１３６】
なお、本実施形態は図示した構成に限らず、口出し位置を図示したものと違う位置に配置したり、例えば並列回路１と並列回路４の電気的に等価な位置にあるコイル片を入れ替えたりしてもよい。
【０１３７】
（第１０の実施形態）
次に、図１０を参照して、第１０の実施形態について説明する。ここでは、前述の第１の実施形態（図１）と共通する部分の説明を省略し、異なる部分を中心に説明する。
【０１３８】
図１０は第１０の実施形態における回転電機の電機子巻線の２極１相分を示す展開模式図である。
【０１３９】
図１０に示すように相帯１７、１８の接続側コイルエンド１９ａに１２本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，１，２，３，３，２，１，１，２，３となり、下コイル片１６の回路番号が極中心側から順に３，２，１，１，２，３，１，２，３，１，２，３，３，２，１となり、第２の相帯１８における上コイル片１５の回路番号が順に６，５，４，４，５，６，４，５，６，６，５，４，４，５，６となり、下コイル片１６の回路番号が極中心側から順に６，５，４，４，５，６，４，５，６，４，５，６，６，５，４となるようにして接続している。
【０１４０】
これにより、相帯内の上下コイル片１５，１６の相対位置を極中心からの位置によって表した場合に、各並列回路の上下コイル片１５，１６の位置は表２８のようになる。
【０１４１】
【表２８】
0006490550.tif 000029
【０１４２】
表２８に示すように、第１及び第４の並列回路の５個の上コイル片１５が、極中心から３，４，７，１２，１３番目の位置に、５個の下コイル片１６が極中心から３，４，７，１０，１５番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，９，１０，１５番目の位置に、５個の下コイル片１６については極中心から１，６，９，１２，１３番目の位置にそれぞれ配置されている。
【０１４３】
表２９は第１０の実施形態における電機子巻線の発生電圧の平衡度を示すものである。ただし、本実施形態では平衡度は巻線ピッチによって変化するため、表２９では３８／４５（８４．４４％）の巻線ピッチの場合を示している。表２９に示すように第１０の実施形態における電機子巻線では、電圧の大きさの偏差（ｐ．ｕ．電圧の１．０よりの偏差）は最大で０．２４％、位相角の偏差が０．０１度と、ルドルフ・ヘイバーマンの特許による基準値である、電圧の大きさの偏差で０．４％、位相角の偏差を０．１５度以内という基準を満足していることがわかる。
【０１４４】
【表２９】
0006490550.tif 000030
【０１４５】
また、表３０は第１０の実施形態における巻線ピッチによる電圧の大きさの偏差、位相角の偏差の最大値の変化を示すものである。巻線ピッチが３６／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【０１４６】
【表３０】
0006490550.tif 000031
【０１４７】
以上のように、第１０の実施形態においては並列回路毎の電圧について前述のルドルフ・ヘイバーマンの特許による基準値を満足する平衡度を実現でき、循環電流を低減することができる。
【０１４８】
なお、本実施形態は図示した構成に限らず、口出し位置を図示したものと違う位置に配置したり、例えば並列回路１と並列回路４の電気的に等価な位置にあるコイル片を入れ替えたりしてもよい。
【０１４９】
（第１１の実施形態）
次に、図１１を参照して、第１１の実施形態について説明する。ここでは、前述の第１の実施形態（図１）と共通する部分の説明を省略し、異なる部分を中心に説明する。
【０１５０】
図１１は第１１の実施形態における回転電機の電機子巻線の２極１相分を示す展開模式図である。
【０１５１】
図１１に示すように相帯１７、１８の接続側コイルエンド１９ａに１２本／相のジャンパ線２０ａを、反接続側コイルエンド１９ｂに１２本／相のジャンパ線２０ｂを設けることにより、第１の相帯１７における上コイル片１５の回路番号が極中心側から順に３，２，１，１，２，３，３，２，１，１，２，３，１，２，３となり、下コイル片１６の回路番号が極中心側から順に１，２，３，３，２，１，１，２，３，１，２，３，３，２，１となり、第２の相帯１８における上コイル片１５の回路番号が順に６，５，４，４，５，６，６，５，４，４，５，６，４，５，６となり、下コイル片１６の回路番号が極中心側から順に４，５，６，６，５，４，４，５，６，４，５，６，６，５，４となるようにして接続している。
【０１５２】
これにより、相帯内の上下コイル片１５，１６の相対位置を極中心からの位置によって表した場合に、各並列回路の上下コイル片１５，１６の位置は表３１のようになる。
【０１５３】
【表３１】
0006490550.tif 000032
【０１５４】
表３１に示すように、第１及び第４の並列回路の５個の上コイル片１５が、極中心から３，４，９，１０，１３番目の位置に、５個の下コイル片１６が極中心から１，６，７，１０，１５番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，７，１２，１５番目の位置に、５個の下コイル片１６については極中心から３，４，９，１２，１３番目の位置にそれぞれ配置されている。
【０１５５】
表３２は第１１の実施形態における電機子巻線の発生電圧の平衡度を示すものである。ただし、本実施形態では平衡度は巻線ピッチによって変化するため、表３２では３８／４５（８４．４４％）の巻線ピッチの場合を示している。表３２に示すように第１１の実施形態における電機子巻線では、電圧の大きさの偏差（ｐ．ｕ．電圧の１．０よりの偏差）は最大で０．１９％、位相角の偏差が０．１３度と、ルドルフ・ヘイバーマンの特許による基準値である、電圧の大きさの偏差で０．４％、位相角の偏差を０．１５度以内という基準を満足していることがわかる。
【０１５６】
【表３２】
0006490550.tif 000033
【０１５７】
また、表３３は第１１の実施形態における巻線ピッチによる電圧の大きさの偏差、位相角の偏差の最大値の変化を示すものである。巻線ピッチが３７／４５〜４５／４５の範囲内の場合では平衡度は、ルドルフ・ヘイバーマンの特許による基準値である、電圧の大きさの偏差で０．４％、位相角の偏差を０．１５度以内という基準を満足している。
【０１５８】
【表３３】
0006490550.tif 000034
【０１５９】
以上のように、第１１の実施形態においては並列回路毎の電圧について前述のルドルフ・ヘイバーマンの特許による基準値を満足する平衡度を実現でき、循環電流を低減することができる。
【０１６０】
なお、本実施形態は図示した構成に限らず、口出し位置を図示したものと違う位置に配置したり、例えば並列回路１と並列回路４の電気的に等価な位置にあるコイル片を入れ替えたりしてもよい。
【０１６１】
以下の第１２〜第１４の実施形態では、接続側コイルエンド１９ａに１極１相当たり８本のジャンパ線が設けられる場合の例について説明する。接続側コイルエンド１９ａ側のジャンパ線の数は増加するものの、同じ形状の複数のジャンパ線を揃えて設置することができ、安定した接続状態を実現できる。
【０１６２】
（第１２の実施形態）
次に、図１２を参照して、第１２の実施形態について説明する。ここでは、前述の第１の実施形態（図１）と共通する部分の説明を省略し、異なる部分を中心に説明する。
【０１６３】
図１２は第１２の実施形態における回転電機の電機子巻線の２極１相分を示す展開模式図である。
【０１６４】
図１２に示すように相帯１７、１８の接続側コイルエンド１９ａに１６本／相のジャンパ線２０ａを、反接続側コイルエンド１９ｂに４本／相のジャンパ線２０ｂを設けることにより、第１の相帯１７における上コイル片１５の回路番号が極中心側から順に３，２，１，１，２，３，３，２，１，１，２，３，１，２，３となり、下コイル片１６の回路番号が極中心側から順に１，２，３，３，２，１，１，２，３，３，２，１，１，２，３となり、第２の相帯１８における上コイル片１５の回路番号が順に６，５，４，４，５，６，６，５，４，４，５，６，４，５，６となり、下コイル片１６の回路番号が極中心側から順に４，５，６，６，５，４，４，５，６，６，５，４，４，５，６となるようにして接続している。
【０１６５】
これにより、相帯内の上下コイル片１５，１６の相対位置を極中心からの位置によって表した場合に、各並列回路の上下コイル片１５，１６の位置は表４０のようになる。
【０１６６】
【表３４】
0006490550.tif 000035
【０１６７】
表３４に示すように、第１及び第４の並列回路の５個の上コイル片１５が、極中心から３，４，９，１０，１３番目の位置に、５個の下コイル片１６が極中心から１，６，７，１２，１３番目の位置に配置され、上記第２及び第５の並列回路の各５個の上下コイル片１５，１６については、極中心から２，５，８，１１，１４番目の位置に配置され、上記第３及び第６の並列回路の５個の上コイル片１５については、極中心から１，６，７，１２，１５番目の位置に、５個の下コイル片１６については極中心から３，４，９，１０，１５番目の位置にそれぞれ配置されている。
【０１６８】
表３５は第１２の実施形態における電機子巻線の発生電圧の平衡度を示すものである。ただし、本実施形態では平衡度は巻線ピッチによって変化するため、表３５では３８／４５（８４．４４％）の巻線ピッチの場合を示している。表３５に示すように第１２の実施形態における電機子巻線では、電圧の大きさの偏差（ｐ．ｕ．電圧の１．０よりの偏差）は最大で０．２９％、位相角の偏差が０．１３度と、ルドルフ・ヘイバーマンの特許による基準値である、電圧の大きさの偏差で０．４％、位相角の偏差を０．１５度以内という基準を満足していることがわかる。
【０１６９】
【表３５】
0006490550.tif 000036
【０１７０】
また、表３６は第１２の実施形態における巻線ピッチによる電圧の大きさの偏差、位相角の偏差の最大値の変化を示すものである。表に示していない巻線ピッチも含めて巻線ピッチが３７／４５〜４０／４５の範囲内の場合では平衡度は、ルドルフ・ヘイバーマンの特許による基準値である、電圧の大きさの偏差で０．４％、位相角の偏差を０．１５度以内という基準を満足しており、また、巻線ピッチが２９／４５〜３６／４５の範囲内の場合では、位相角の偏差はルドルフ・ヘイバーマンの特許による基準値である０．１５度を越えているが、電圧の大きさの偏差は０．４％以内となっており、循環電流をある程度のレベルに抑える効果は期待できる。
【０１７１】
【表３６】
0006490550.tif 000037
【０１７２】
以上のように、第１２の実施形態においては並列回路毎の電圧について前述のルドルフ・ヘイバーマンの特許による基準値を満足する平衡度を実現でき、循環電流を低減することができる。
【０１７３】
なお、本実施形態は図示した構成に限らず、口出し位置を図示したものと違う位置に配置したり、例えば並列回路１と並列回路４の電気的に等価な位置にあるコイル片を入れ替えたりしてもよい。
【０１７４】
（各実施形態に共通する事項）
各実施形態の電機子巻線に共通する構成上の特徴点を以下に列挙する。
【０１７５】
・積層鉄心に設けられた１極あたり４５個のスロットに納められる３相偶数極の２層巻き電機子巻線である。
【０１７６】
・当該巻線の各相は、第１及び第２の相帯１７，１８からなる２つの相帯に分割した６つの並列回路を有し、各並列回路は接続側コイルエンド１９ａ及び反接続側コイルエンド１９ｂでそれぞれ互いに直列接続される上コイル片１５と下コイル片１６とからなる。
【０１７７】
・一つの相帯中の上コイル片１５、下コイル片１６のそれぞれの相対位置を極中心から順に数えた位置で表した場合に、当該上コイル片１５、下コイル片１６のそれぞれを、極中心から１から３番目、４から６番目、７から９番目、１０から１２番目、１３から１５番目に位置する５つのコイル片グループに分けている。
【０１７８】
・第１の相帯１７の各コイル片グループに第１、第２、第３の並列回路に対応する３つのコイル片を配置し、第２の相帯１８の各コイル片グループに第４、第５、第６の並列回路に対応する３つのコイル片を配置している。
【０１７９】
・各相帯の各コイル片グループにおいて、第２及び第５の並列回路の位置が、コイル片グループの３つのコイル片のうち、極中心側から数えて２番目の位置となるようにしている。
【０１８０】
・各相帯の１０個のコイル片グループのうち、６グループもしくは４グループにおいて、第１あるいは第４の並列回路の位置が極中心側から数えて１番目の位置となるようにしている。
【０１８１】
・各相帯の各コイル片グループのうち、極中心から１番目のグループと２番目のグループとの間で、第１あるいは第４の並列回路のコイル片の極中心側から数えた位置が互いに異なるようにしている。
【０１８２】
以上詳述したように、各実施形態によれば、間接冷却方式の大容量回転電機に好適なスロット数の多い電機子巻線を提供することができる。
【０１８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１８４】
１１…電機子、１２…電機子鉄心、１３…スロット、１４…電機子巻線、１５…上コイル片、１６…下コイル片、１７…第１の相帯、１８…第２の相帯、１９ａ…接続側コイルエンド、１９ｂ…反接続側コイルエンド、２０ａ…接続側のジャンパ線、２０ｂ…反接続側のジャンパ線、２１…口出し導体。
【図１】
0006490550.tif 000038
【図２】
0006490550.tif 000039
【図３】
0006490550.tif 000040
【図４】
0006490550.tif 000041
【図５】
0006490550.tif 000042
【図６】
0006490550.tif 000043
【図７】
0006490550.tif 000044
【図８】
0006490550.tif 000045
【図９】
0006490550.tif 000046
【図１０】
0006490550.tif 000047
【図１１】
0006490550.tif 000048
【図１２】
0006490550.tif 000049
【図１３】
0006490550.tif 000050
【図１４】
0006490550.tif 000051